【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
優れた沈降特性を有する固体を選別して保留する方法であって、
廃水に対して処理工程を実施する処理装置の流入口に廃水を給送する工程と、
前記処理装置の流出口において処理済みの廃水を流出させる工程と、
前記処理済みの廃水を、優れた沈降特性を有する固体を選別する重量選別装置の流入口に給送する工程と、
前記重量選別装置の第１の流出口においてリサイクル流を流出させる工程と
を有し、
廃水流は前記処理装置で拒否され、前記リサイクル流は前記処理装置に供給されるものである、
方法。
【請求項２】
優れた沈降特性を有する固体を選別して保留する方法であって、
廃水に対して処理工程を実施する処理装置の流入口に廃水を給送する工程と、
前記処理装置の流出口において処理済みの廃水を流出させる工程と、
前記処理済みの廃水を、優れた沈降特性を有する固体を選別する重量選別装置の流入口に給送する工程と、
前記重量選別装置の第１の流出口においてリサイクル流を流出させる工程と、
前記重量選別装置の第２の流出口において廃水流を流出させ、固体処理を行う工程と
を有し、
前記固体処理は、濃縮処理、安定処理、調整処理および脱水処理のうちの少なくとも１つを含むものである、
方法。
【請求項３】
請求項１記載の方法において、前記リサイクル流は、前記重量選別装置の前記第１の流出口から前記処理装置に供給されるものである方法。
【請求項４】
請求項１記載の方法において、前記リサイクル流は、優れた沈降特性を有する固体を有するものである方法。
【請求項５】
請求項２記載の方法において、前記廃水流は拒否され、前記リサイクル流は前記処理装置に返送されるものである方法。
【請求項６】
請求項４記載の方法において、前記廃水流は、沈降および濾過特性が低い固体、または膜汚染の可能性が高い固体を有するものである方法。
【請求項７】
請求項１記載の方法において、前記処理工程は、
浮遊生物型活性汚泥処理（ｓｕｓｐｅｎｄｅｄ  ｇｒｏｗｔｈ  ａｃｔｉｖａｔｅｄ  ｓｌｕｄｇｅ  ｐｒｏｃｅｓｓ）、
粒状処理、
統合された固定膜活性汚泥処理（ｉｎｔｅｇｒａｔｅｄ  ｆｉｘｅｄ−ｆｉｌｍ  ａｃｔｉｖａｔｅｄ  ｓｌｕｄｇｅ  ｐｒｏｃｅｓｓ）、
生物学的栄養塩除去処理、
好気性消化処理、または
嫌気性消化処理、
を有するものである方法。
【請求項８】
請求項１記載の方法において、前記処理工程は生物学的処理工程を有するものである方法。
【請求項９】
請求項８記載の方法において、前記生物学的処理工程は直列式固液分離処理工程を有するものである方法。
【請求項１０】
請求項１記載の方法において、前記処理装置は膜分離装置を有するものである方法。
【請求項１１】
優れた沈降特性を有する固体を選別して保留する方法であって、
廃水に対して処理工程を実施する処理装置の流入口に廃水を給送する工程と、
前記処理装置の流出口において処理済みの廃水を流出させる工程と、
前記処理済みの廃水を、優れた沈降特性を有する固体を選別する重量選別装置の流入口に給送する工程と、
前記重量選別装置の第１の流出口においてリサイクル流を流出させる工程と
を有し、
前記重量選別装置は、前記廃水を加速し、前記廃水にせん断力を加え、沈降および濾過特性が低い固体から沈降特性が高い固体を分離するサイクロンを有するものである、
方法。
【請求項１２】
優れた沈降特性を有する固体を選別して保留する方法であって、
廃水に対して処理工程を実施する処理装置の流入口に廃水を給送する工程と、
前記処理装置の流出口において処理済みの廃水を流出させる工程と、
前記処理済みの廃水を、優れた沈降特性を有する固体を選別する重量選別装置の流入口に給送する工程と、
前記重量選別装置の第１の流出口においてリサイクル流を流出させる工程と
を有し、
前記重量選別装置は、遠心力およびせん断力を加え、前記廃水内の沈降および濾過特性が低い固体から沈降特性が高い固体を分離する遠心分離機を有するものである、
方法。
【請求項１３】
請求項１１記載の方法において、前記サイクロンの給送速度および形状は、前記サイクロン内の前記廃水の速度を調整するように構成されており、それにより、
より大きいまたはより高密度の固体が選別されるか、若しくは、
前記サイクロン内での分離のために利用可能な時間が増加するものである方法。
【請求項１４】
請求項１記載の方法において、前記処理済みの廃水を前記重量選別装置の流入口に給送する工程は、
前記処理済みの廃水を底流（ｕｎｄｅｒｆｌｏｗ）および流出水に分離する分離装置の流入口に前記処理済みの廃水を給送する工程と、
前記分離装置から前記底流を受け取る工程と、
優れた沈降特性を有する固体を前記底流から重量選別し、前記リサイクル流を前記第１の流出口に供給する工程と
を有するものである方法。
【請求項１５】
請求項１１記載の方法において、さらに、
所定のサイズまたは密度の固体が保留されるように、前記廃水の速度を前記サイクロン内で制御する工程を有するものである方法。
【請求項１６】
請求項１１記載の方法において、さらに、
水量負荷速度を制御して、所定のサイズまたは密度の沈降固体を選別する工程を有するものである方法。
【請求項１７】
優れた沈降特性を有する固体を選別して保留する装置であって、
流入口と流出口とを有し、処理工程を実施するように構成された処理装置と、
流入口と、廃水流流出口と、リサイクル流流出口とを有し、優れた沈降特性を有する固体を選別するように構成された重量選別装置と
を有し、
前記重量選別装置の前記リサイクル流流出口は前記処理装置の前記流入口に連結されているものであり、
前記重量選別装置の前記廃水流流出口は固体処理を行う装置と連結されており、当該固体処理は、濃縮処理、安定処理、調整処理および脱水処理のうちの少なくとも１つを含むものである、
装置。
【請求項１８】
請求項１７記載の装置において、前記重量選別装置の前記流入口は、前記処理装置の前記流出口に連結されているものである装置。
【請求項１９】
請求項１７記載の装置において、前記重量選別装置の前記流入口は、分離装置の底流流出口に連結されているものである装置。
【請求項２０】
請求項１７記載の装置において、前記重量選別装置の前記リサイクル流流出口はリサイクル流を前記処理装置に供給し、前記リサイクル流は優れた沈降特性を有する固体を有するものである装置。
【請求項２１】
請求項１７記載の装置において、前記処理工程は、
浮遊生物型活性汚泥処理、
粒状処理、
統合された固定膜活性汚泥処理、
生物学的栄養塩除去処理、
好気性消化処理、または
嫌気性消化処理
を有するものである装置。
【請求項２２】
請求項１７記載の装置において、処理装置がバイオリアクタを有するものである装置。
【請求項２３】
請求項２１記載の装置において、前記バイオリアクタ処理は直列式固液分離処理を含むものである装置。
【請求項２４】
請求項１７記載の装置において、前記処理装置は、廃水を加速し、廃水にせん断力を加え、沈降および濾過特性が低い固体から沈降特性が高い固体を分離するサイクロンを有するものである装置。
【請求項２５】
請求項１７記載の装置において、前記処理装置は、遠心力およびせん断力を加え、廃水内の沈降および濾過特性が低い固体から沈降特性が高い固体を分離する遠心分離機を有するものである装置。
【請求項２６】
請求項２４記載の装置において、前記サイクロンの給送速度および形状は、前記サイクロン内の前記廃水の速度を調整するように構成されており、それにより、
より大きいまたはより高密度の固体が選別されるか、若しくは、
前記サイクロン内での分離のために利用可能な時間が増加するものである装置。
【請求項２７】
請求項１７記載の装置において、さらに、
流入口が前記処理装置の前記流出口に連結された分離装置を有するものである装置。
【請求項２８】
請求項２４記載の装置において、前記サイクロンは前記廃水の速度を制御して表面負荷率（ｏｖｅｒｆｌｏｗ  ｒａｔｅ）を調整するものであり、それにより、所定のサイズまたは密度の沈降固体が保留されるものである装置。
【請求項２９】
請求項２４記載の装置において、前記サイクロンは水量負荷速度を制御して、所定のサイズまたは密度の沈降固体を選別するものである装置。
【請求項３０】
優れた沈降特性を有する固体を選別して保留する方法であって、
廃水供給源から廃水を受け取る工程と、
前記廃水を処理して、処理済みの廃水を提供する工程と、
前記処理済みの廃水から優れた沈降特性を有する固体を重量選別して、リサイクル流および廃水流を流出させる工程と、
前記リサイクル流を処理装置に供給し、前記廃水供給源から受け取ったさらなる廃水と共に、前記リサイクル流をさらに処理する工程と、
前記廃水流を固体処理を行う装置に供給する工程であって、当該固体処理は、濃縮処理、安定処理、調整処理および脱水処理のうちの少なくとも１つを含むものである、
方法。
【手続補正２】
【補正対象書類名】明細書
【補正対象項目名】０００６
【補正方法】変更
【補正の内容】
【０００６】
廃水から固体を選別して分離するために現在使用されている方法の欠点を持たない廃水処理方法および装置に対する必要性が存在する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００７／００００８３６号明細書
（特許文献２）  米国特許出願公開第２０１０／０１７０８４５号明細書
（特許文献３）  米国特許出願公開第２０１２／００４８８０２号明細書
（特許文献４）  米国特許出願公開第２００５／００８７４８０号明細書
（特許文献５）  特開２００１―０９６２９７号公報
（特許文献６）  欧州特許出願公開第１６３４８５４号明細書
（特許文献７）  欧州特許出願公開第１６３４８５５号明細書
（非特許文献）
（非特許文献１）  Ｗｅｔｔ  ｅｔ．ａｌ．，"Ｓｙｎｔｒｏｐｈｙ  ｏｆ  ａｅｒｏｂｉｃ  ａｎｄ  ａｎａｅｒｏｂｉｃ  ａｍｍｏｎｉａ  ｏｘｉｄｉｓｅｒｓ"２０１０  ｐ１９１５